(57)【要約】【課題】追っかけ再生の途中で再生位置が録画位置に追いついた場合でも、特別な操作を行うことなしに、追っかけ再生から現在の放送中の内容を受信出力する状態にスムーズに移行できるようにする。【解決手段】ＣＰＵ１は、テレビ受信部１１で受信した放送内容を録画メモリ４Ａに書き込んでいる録画動作中に、この録画内容の再生が指示された際に、この録画動作を継続しながら「再生出力モード」下で当該録画内容を録画メモリ４Ａから順次読み出して並行的に再生出力する追っかけ再生を開始し、この追っかけ再生の動作中に現在の録画位置と再生位置とを比較し、再生位置が録画位置に追いついた際には、「再生出力モード」を解除して「受信出力モード」に復帰させることによって現在の放送内容を受信出力する状態に切り替える。【選択図】  図1
2007043358.tif 000002
【特許請求の範囲】
【請求項１】
テレビ放送電波を受信して出力する機能と受信した放送内容を逐次録画して再生出力する機能を備えたテレビ受信装置であって、
受信した放送内容を逐次出力する受信出力モードと録画内容を再生する再生出力モードとをユーザ操作に応じて任意に切り替える第1のモード切り替え手段と、
受信した放送内容の録画動作中に当該録画内容の再生が指示された際に、この録画動作を継続しながら前記再生出力モード下で当該録画内容を並行的に再生出力する追っかけ再生手段と、
この追っかけ再生手段による再生動作中に現在の録画位置と再生位置とを比較して当該再生位置が録画位置に追いついたか否かを判別する判別手段と、
この判別手段によって再生位置が録画位置に追いついたことが判別された際に、前記再生出力モードを解除して前記受信出力モードに復帰させることによって現在の放送内容を受信出力する状態に切り替える第２のモード切り替え手段と、
を具備したことを特徴とするテレビ受信装置。
【請求項２】
前記判別手段によって現在の再生位置が録画位置に追いついたことが判別された際に、前記受信出力モードに復帰させることを案内するメッセージ情報を出力する、
ようにしたことを特徴とする請求項1記載の録画機能付きテレビ受信装置。
【請求項３】
前記受信出力モード下で受信内容を逐次出力している状態での出力中断の指示に応答してそれ以降の受信内容を逐次録画する動作を開始させたのち、この録画内容の再生指示に応答してその再生動作を開始させた場合に、前記第２のモード切り替え手段は、現在の再生位置が録画位置に追いついた際に、再生出力モードを解除して受信出力モードに復帰させる、
ようにしたことを特徴とする請求項1記載のテレビ受信装置。
【請求項４】
前記受信出力モード下で受信内容を逐次出力している状態での出力中断の指示に応答してそれ以降の受信内容を逐次録画する動作を開始させたのち、この録画内容の再生指示に応答してその再生動作を開始させた場合に、前記第１のモード切り替え手段は、所定の操作が行われた際に、再生出力モードを解除して受信出力モードに復帰させる、
ようにしたことを特徴とする請求項1記載のテレビ受信装置。
【請求項５】
前記追っかけ再生の動作中に再生出力モードを解除して受信出力モードに復帰させる際には、その時点で再生動作を停止させると共に録画動作を終了させる、
ようにしたことを特徴とする請求項1記載のテレビ受信装置。
【請求項６】
前記受信出力モード下で受信内容を逐次出力している状態での出力中断の割り込み指示に応答してそれ以降の受信内容を逐次録画する動作を開始させたのち、この割り込み解除の指示に応答して録画内容を再生すべきことを促す案内情報を出力し、これに応じて再生指示を受けた際には、当該録画内容の先頭位置からその再生を開始する、
ようにしたことを特徴とする請求項1記載のテレビ受信装置。
【請求項７】
前記割り込み解除の際に、前記受信出力モードに戻ることを示す案内情報を出力し、これに応じて戻り指示を受けた際に、前記第１のモード切り替え手段は、受信出力モードに復帰させる、
ようにしたことを特徴とする請求項６記載のテレビ受信装置。
【請求項８】
前記受信出力モードへの復帰後にあっては、その割り込み期間中に一時録画された放送内容が未視聴状態であることを示す案内情報を出力し、これに応じて当該一時録画の再生指示を受けた際に、前記第１のモード切り替え手段は、前記再生出力モードに切り替えることによって一時録画内容を再生出力させる、
ようにしたことを特徴とする請求項６記載のテレビ受信装置。
【請求項９】
コンピュータに対して、
受信した放送内容を逐次出力する受信出力モードと録画内容を再生する再生出力モードとをユーザ操作に応じて任意に切り替える機能と、
受信した放送内容の録画動作中に当該録画内容の再生が指示された際に、この録画動作を継続しながら前記再生出力モード下で当該録画内容を並行的に再生出力する追っかけ再生を行う機能と、
この追っかけ再生の動作中に現在の録画位置と再生位置とを比較して当該再生位置が録画位置に追いついたか否かを判別する機能と、
再生位置が録画位置に追いついたことが判別された際に、前記再生出力モードを解除して前記受信出力モードに復帰させることによって現在の放送内容を受信出力する状態に切り替える機能と、
を実現させるためのプログラム。
【発明の詳細な説明】
【技術分野】
【０００１】
この発明は、テレビ放送電波を受信して出力する機能と受信した放送内容を逐次録画して再生出力する機能を備えたテレビ受信装置及びプログラムに関し、特に、受信内容の録画を継続しながら当該録画内容を並行的に再生出力する機能（追っかけ再生機能）を備えたテレビ受信装置及びプログラムに関する。
【背景技術】
【０００２】
従来、テレビ放送を受信して出力するテレビ受信装置には、テレビ放送を受信して録画する録画機能が備えられており、テレビ視聴中に電話着信を受けた際に、この放送内容の録画を開始し、通話終了後に録画動作を継続しつつ録画内容をその開始位置から順次再生出力させる機能、いわゆる追っかけ再生機能を備えたテレビジョン受像装置が知られている（特許文献１参照）。
【特許文献１】特開２００２−２４７４９０号公報
【発明の開示】
【発明が解決しようとする課題】
【０００３】
ところで、この種の追っかけ再生機能は、現在放送中の番組内容を受信して出力する「受信出力モード（通常モード）」あるいは録画内容を再生して出力する「再生出力モード」とは別個の動作であり、この「再生出力モード」の中で追っかけ再生が行われる。ここで、追っかけ再生の途中で再生位置が録画位置に追いついた際には、それ以降の録画内容は存在してないため、この時点で再生動作を自動停止させるのが一般的であるが、もちろん、再生を停止させた状態で録画をそのまま継続させれば、この停止期間内に録画された内容から引き続いて再生することも可能となる。
【０００４】
しかしながら、例え、短い時間であっても再生動作を一時的に停止させることは、テレビ放送を継続的に視聴することができなくなる。
そこで、視聴者は、追っかけ再生の途中で再生位置が録画位置に追いついた際の再生停止を確認したうえで、「再生出力モード」から「受信出力モード」に切り替える操作を行うようにすれば、以降、現在放送中の番組内容をリアルタイムに視聴することが可能となるが、途切れのない継続視聴を希望する場合には、間髪を入れず、モード切り替え操作を行う必要があった。また、再生位置が録画位置に追いつくた毎にモード切り替え操作を行うことは、一時的にでも放送内容から注意が離れることになり、集中視聴の妨げの要因にもなる。
【０００５】
この発明の課題は、追っかけ再生の途中で再生位置が録画位置に追いついた場合でも、特別な操作を行うことなしに、追っかけ再生から現在の放送中の内容を受信出力する状態にスムーズに移行できるようにすることである。
【課題を解決するための手段】
【０００６】
請求項１記載の発明は、テレビ放送電波を受信して出力する機能と受信した放送内容を逐次録画して再生出力する機能を備えたテレビ受信装置であって、受信した放送内容を逐次出力する受信出力モードと録画内容を再生する再生出力モードとをユーザ操作に応じて任意に切り替える第1のモード切り替え手段と、受信した放送内容の録画動作中に当該録画内容の再生が指示された際に、この録画動作を継続しながら前記再生出力モード下で当該録画内容を並行的に再生出力する追っかけ再生手段と、この追っかけ再生による再生動作中に現在の録画位置と再生位置とを比較して当該再生位置が録画位置に追いついたか否かを判別する判別手段と、この判別手段によって再生位置が録画位置に追いついたことが判別された際に、前記再生出力モードを解除して前記受信出力モードに復帰させることによって現在の放送内容を受信出力する状態に切り替える第２のモード切り替え手段とを具備したことを特徴とする。
更に、コンピュータに対して、上述した請求項１記載の発明に示した主要機能を実現させるためのプログラムを提供する（請求項９記載の発明）。
【０００７】
なお、請求項１記載の発明は次ぎのようなものであってもよい。
前記判別手段によって現在の再生位置が録画位置に追いついたことが判別された際に、前記受信出力モードに復帰させることを案内するメッセージ情報を出力する（請求項２記載の発明）。
【０００８】
前記受信出力モード下で受信内容を逐次出力している状態での出力中断の指示に応答してそれ以降の受信内容を逐次録画する動作を開始させたのち、この録画内容の再生指示に応答してその再生動作を開始させた場合に、前記第２のモード切り替え手段は、現在の再生位置が録画位置に追いついた際に、再生出力モードを解除して受信出力モードに復帰させる（請求項３記載の発明）。
なお、出力中断の指示は、ユーザ操作による任意指示に限らず、例えば、携帯電話装置では、電話着信時に出力中断を自動的に指示するようにしてもよい（以下、同様）。
【０００９】
前記受信出力モード下で受信内容を逐次出力している状態での出力中断の指示に応答してそれ以降の受信内容を逐次録画する動作を開始させたのち、この録画内容の再生指示に応答してその再生動作を開始させた場合に、前記第１のモード切り替え手段は、所定の操作が行われた際に、再生出力モードを解除して受信出力モードに復帰させる（請求項４記載の発明）。
【００１０】
前記追っかけ再生の動作中に再生出力モードを解除して受信出力モードに復帰させる際には、その時点で再生動作を停止させると共に録画動作を終了させる（請求項５記載の発明）。
【００１１】
前記受信出力モード下で受信内容を逐次出力している状態での出力中断の割り込み指示に応答してそれ以降の受信内容を逐次録画する動作を開始させたのち、この割り込み解除の指示に応答して録画内容を再生すべきことを促す案内情報を出力し、これに応じて再生指示を受けた際には、当該録画内容の先頭位置からその再生を開始する（請求項６記載の発明）。
【００１２】
ここで、前記割り込み解除の際に、前記受信出力モードに戻ることを示す案内情報を出力し、これに応じて戻り指示を受けた際に、前記第１のモード切り替え手段は、受信出力モードに復帰させるようにしてもよい。（請求項７記載の発明）。
また、前記受信出力モードへの復帰後にあっては、その割り込み期間中に一時録画された放送内容が未視聴状態であることを示す案内情報を出力し、これに応じて当該一時録画の再生指示を受けた際に、前記第１のモード切り替え手段は、前記再生出力モードに切り替えることによって一時録画内容を再生出力させるようにしてもよい（請求項８記載の発明）。
【発明の効果】
【００１３】
請求項１記載の発明によれば、受信した放送内容の録画動作中に当該録画内容の再生が指示された際に、この録画動作を継続しながら再生出力モード下で当該録画内容を並行的に再生出力する追っかけ再生を開始し、この追っかけ再生の動作中に現在の録画位置と再生位置とを比較して再生位置が録画位置に追いついた否かを判別し、その結果、追いついた際には、再生出力モードを解除して受信出力モードに復帰させることによって現在の放送内容を受信出力する状態に切り替えるようにしたから、追っかけ再生の途中で再生位置が録画位置に追いついた場合でも、特別な操作を行うことなしに、追っかけ再生から現在の放送中の受信出力へスムーズ（シームレス）に移行させることができ、視聴者にあっては追っかけ再生から現在の放送中の受信出力に切り替わったとしても、放送内容をその最後まで集中して視聴することが可能となる。
【００１４】
請求項２記載の発明によれば、上述した請求項１記載の発明と同様の効果を有するほか、再生位置が録画位置に追いついた際に、受信出力モードに復帰させることを案内するメッセージ情報を出力するようにしたから、モードの自動切り替えをユーザに確認させたうえで受信出力モードに復帰させることができる。なお、テレビ画面（再生画面）内の片隅部にメッセージ情報をポップアップ表示させてもよい。
【００１５】
請求項３記載の発明によれば、上述した請求項１記載の発明と同様の効果を有するほか、受信出力モード下で受信内容を逐次出力している状態での出力中断の指示に応答してそれ以降の受信内容を逐次録画する動作を開始させたのち、この録画内容の再生指示に応答してその再生動作を開始させた場合に、現在の再生位置が録画位置に追いついた際に、再生出力モードを解除して受信出力モードに復帰させるようにしたから、出力中断後の追っかけ再生では、再生位置が現在の録画位置に追いついた段階で受信出力モードに戻すのが自然であり、この自然な動きに対応可能となる。
【００１６】
請求項４記載の発明によれば、上述した請求項１記載の発明と同様の効果を有するほか、受信出力モード下で受信内容を逐次出力している状態での出力中断の指示に応答してそれ以降の受信内容を逐次録画する動作を開始させたのち、この録画内容の再生指示に応答してその再生動作を開始させた場合に、所定の操作が行われた際に、再生出力モードを解除して受信出力モードに復帰させるようにしたから、再生位置が録画位置に追いつく前に、必要に応じて受信出力モードに復帰させることができ、利便性を増すことが可能となる。
【００１７】
請求項５記載の発明によれば、上述した請求項１記載の発明と同様の効果を有するほか、前記追っかけ再生の動作中に再生出力モードを解除して受信出力モードに復帰させる際には、その時点で再生動作を停止させると共に録画動作を終了させるようにしたから、無意味な録画を防ぐことができ、無駄な電力消費を抑えることが可能となる。
【００１８】
請求項６記載の発明によれば、上述した請求項１記載の発明と同様の効果を有するほか、受信出力モード下で受信内容を逐次出力している状態での出力中断の割り込み指示に応答してそれ以降の受信内容を逐次録画する動作を開始させたのち、この割り込み解除の指示に応答して録画内容を再生すべきことを促す案内情報を出力し、これに応じて再生指示を受けた際には、当該録画内容の先頭位置からその再生を開始するようにしたから、例えば、受信した放送内容を視聴している最中に割り込みによる電話着信に応答してその出力を中断して録画を開始させたのち、その通話終了に伴って割り込みを解除する際には、その中断期間中（割り込み期間中）に録画された放送内容を追っかけ再生するかを問い合わせ、ユーザからの再生指示を確認したうえで、その録画内容を再生することができる。
【００１９】
この場合、割り込み解除の際に、受信出力モードに戻ることを示す案内情報を出力し、これに応じて戻り指示を受けた際に、受信出力モードに復帰させるようにしたから（請求項７記載の発明）、割り込み解除時に直ちに現在の受信内容を出力する状態に戻すことができる。この場合、中断期間中（割り込み期間中）に録画された放送内容は、必要に応じて再生出力させればよい。
【００２０】
また、受信出力モードへの復帰後にあっては、その割り込み期間中に一時録画された放送内容が未視聴状態であることを示す案内情報を出力し、これに応じて当該一時録画の再生指示を受けた際に、再生出力モードに切り替えることによって一時録画内容を再生出力させるようにしたから（請求項８記載の発明）、割り込み解除時に直ちに現在の受信内容を出力する状態に戻した場合でも、未視聴部分が有ることを確認することができ、必要に応じて未視聴部分の再生が可能となる。
【発明を実施するための最良の形態】
【００２１】
以下、図１〜図７を参照して本発明の実施例を説明する。
この実施例は、携帯端末装置として携帯電話装置に適用した場合を例示したもので、図１は、この携帯電話装置の基本的な構成要素を示したブロック図である。
この携帯電話装置は、２つの筐体（上部筐体、下部筐体）が開閉可能に取り付けられた折り畳み自在なもので、二次電池を主電源として駆動され、通話機能、電子メール機能、インターネット接続機能などのほか、テレビ放送電波を受信して出力するテレビ機能と、このテレビ機能によって受信したテレビ放送を逐次録画する録画機能と、この録画機能によって録画された内容を再生出力する再生機能を備えている。
【００２２】
ＣＰＵ１は、記憶部２内の各種のプログラムに応じてこの携帯電話装置の全体動作を制御する中央演算処理装置である。記憶部２は、不揮発性メモリ(内部メモリ)であり、例えば、フラッシュメモリなどによって構成され、プログラム領域とデータ領域とを有し、このプログラム領域には、後述する図４〜図６に示す動作手順に応じて本実施例を実現するためのプログラムが格納されている。記録メディア３は、着脱自在な可搬型メモリで、撮影画像データ、各種のデータ、プログラムを外部供給するもので、例えば、スマートメディア、ＩＣカードなどによって構成されている。メモリ４は、ワーク領域を有する内部メモリで、例えば、ＤＲＡＭ（Direct Random Access Memory）、ＳＤＲＡＭ（Synchronous DRAM）などによって構成されている。
【００２３】
電話通信部５は、アンテナ６に接続された送受信デュプレクサの受信側から信号を取り込んで受信ベースバンド信号に復調したのちに、音声データを音声スピーカ７から出力させる。また、電話通信部５は、音声マイク８から入力された音声データを送信ベースバンド信号に符号化したのちに、送受信デュプレクサの送信側に与えられ、アンテナ６から発信出力させる。一方、電子メール機能、インターネット接続によって電話通信部５を介して受信した表示データは、ＬＣＤ（液晶表示器）などのメイン表示部９に与えられて表示出力される。メイン表示部９は、文字情報、テレビ映像、各種のメッセージなどを高品位に表示するもので、図２は、折り畳み式の装置本体を開いた状態において、メイン表示部９にテレビ映像が表示されたテレビ画面の表示例を示している。このメイン表示部９のほか、装置本体の背面部にはサブ表示部１０が設けられており、現在日時、簡易なメッセージ、アイコンなどが表示される。
【００２４】
テレビ受信部１１は、ＴＶアンテナ１２を備え、携帯電話などの携帯受信機向けの地上波デジタルテレビ放送を受信するもので、テレビ映像及び音声情報以外にも電子番組表(ＥＰＧ)なども含めて受信可能である。テレビ受信部１１は、専用ＣＰＵ、ＴＶアンテナ１２に接続されている受信部と、受信したテレビ放送を映像信号、音声信号に分離分離する増幅分離部と、圧縮データを解凍するデコード部などを有する構成となっており、このテレビ受信部１１から出力されたテレビ映像信号は、メイン表示部９から表示出力され、また、テレビ音声信号は、内蔵スピーカ１３あるいはイヤホーン１４から出力される。
【００２５】
キー操作部１５は、押しボタン式の各種のキーを備え、ダイヤル入力、文字入力、コマンド入力などを行うもので、テレビ機能用としてテレビＯＮ／ＯＦＦキー、チャンネル切り替えキーのほか、受信した放送内容を逐次出力する「受信出力モード（通常モード）」と録画内容を再生する「再生出力モード」とをユーザ操作に応じて任意に切り替えるモード切り替えキー、テレビ放送の録画（録音を含む）を指示する録画開始キー、録画内容の再生を指示
する再生キー、再生の一時停止を指示する一時停止キー（クリアキー）、早送り再生を指示する早送りキー、再生終了を指示する終了キーなどを有している。なお、テレビ機能用の各キーは、メイン表示部９の画面上に配置したタッチキーであってもよい。ＣＰＵ１は、キー操作部１５からのキー入力信号に応じた処理を実行する。報知部１６は、上述した内蔵スピーカ１３を含めて、ＬＥＤ(発光ダイオード)、振動モータを有する構成で、電話・メール着信時には着信報知を行うほか、警告アラームなどの報知時にも駆動される。
【００２６】
図３は、放送内容を録画しながら録画内容を再生する場合に、放送内容を受信出力する「受信出力モード」と録画内容を再生する「再生出力モード」とが自動的に切り替えられる様子を説明するための図である。
テレビ受信部１１の動作中においてＣＰＵ１は、「受信出力モード」下で受信した放送内容を逐次出力している状態で電話着信などによってその出力の中断が割り込み指示された際に（Ｔ１）、この中断指示に応答してそれ以降の受信内容を逐次録画する動作を開始させる。その後、通話終了などによって割り込み解除（割り込み終了）が指示された際に（Ｔ２）、この録画動作を継続しながら「再生出力モード」下で録画内容を並行的に再生出力する追っかけ再生動作を開始する。
【００２７】
この追っかけ再生は、「受信出力モード」と「再生出力モード」とは別個の動作であり、この「再生出力モード」の中で追っかけ再生が行われるもので、放送内容の録画中にその再生出力が指示された際に追っかけ再生が開始される。なお、追っかけ再生を行う場合に、録画動作を継続しながら録画内容を再生出力する動作を並行的に行うが、単一のＣＰＵによって録画動作と再生動作とを時分割に並行処理するようにしてもよいが、録画用のＣＰＵと再生用のＣＰＵを設け、これらの専用ＣＰＵで録画動作と再生動作とを並行的に実行するようにしてもよい。この追っかけ再生時の録画と再生は、メモリ４内の録画メモリ４Ａに対して行われる。すなわち、現在の書き込みアドレスを示す録画位置を更新しながら現在放送中の番組内容を録画メモリ４Ａに映像データ、音声データを記録すると共に、現在の読み出しアドレスを示す再生位置を更新しながら録画メモリ４Ａから録画内容を読み出して再生出力（映像出力、音声出力）させる。
【００２８】
ＣＰＵ1は、現在の録画位置と再生位置とを比較して当該再生位置が録画位置に追いついたか否かを判別し、録画動作よりも再生動作の方が速く、再生位置が録画位置に追いついたときには（Ｔ３）、「再生出力モード」を解除して「受信出力モード」に復帰させることによって現在放送中の受信内容を出力する状態に切り替えるようにしている。つまり、追っかけ再生の途中で再生位置が録画位置に追いついた際には、その時点で録画を停止させるほか、追っかけ再生の動作状態から現在受信中の放送内容を出力する動作状態に自動切り替えを行うようにしている。なお、テレビ放送を録画する場合に、大容量の半導体メモリあるいは小型ハードディスクなどの記録メディア３が外部接続されていれば、この記録メディア３に対して行うようにしてもよい。
【００２９】
次ぎに、この実施例における携帯電話装置の動作概念を図４〜図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００３０】
図４〜図６は、テレビ受信部１１の起動に伴って実行開始されるテレビ処理を示したフローチャートである。
先ず、ＣＰＵ１は、チャンネル選択用のキーの操作によって所望するチャンネルが選択指定されると（ステップＳ１）、テレビ受信部１１から指定チャンネルの放送番組の内容を受信すると共に（ステップＳ２）、受信した放送内容を逐次出力する「受信出力モード（通常モード）」を選択して当該モードに切り替える（ステップＳ３）。この状態において、受信した放送内容を逐次出力させる出力動作を開始させる（ステップＳ４）。この場合、受信した映像データは、メイン表示部９に順次表示され、音声データは内蔵スピーカ１３あるいはイヤーホーン１４から順次出力される。
【００３１】
このように「受信出力モード」下でテレビ番組を視聴している状態において、ＣＰＵ１は、現在受信中のテレビ放送番組の出力を一時的に中断させる割り込み指示が有るかをチェックする（ステップＳ５）。すなわち、電話着信に伴ってテレビ放送の出力を一時的に中断させる割り込み指示の有無をチェックしたり、ユーザ操作によってテレビ放送の出力を任意のタイミングで一時的に中断させる割り込み指示の有無をチェックする。このような着信割り込み／任意割り込みが無ければ（ステップＳ５でＮＯ）、その他のキー操作有無をチェックする（ステップＳ６）。以下、割り込み指示あるいはキー操作が有るまで待機状態となる。
【００３２】
いま、上述のステップＳ６でキー操作有りが検出された場合に、その操作キーがモード切り替えキーであって「受信出力モード」から「再生出力モード」に切り替えられた場合には（ステップＳ７でＹＥＳ）、後述する図５及び図６の「再生出力モード」処理に移るが、例えば、録画開始キー、音量調整操作、輝度調整操作などのキー操作が行われた場合には（ステップＳ７、Ｓ８でＮＯ）、この操作キーに対応した処理（例えば、録画開始、音量調整などの処理）を実行したのち（ステップＳ９）、上述したステップＳ５に戻る。なお、テレビ放送の録画を開始させたのち、少し時間を遅らせて「再生出力モード」に切り替えた場合にも、図５及び図６の「再生出力モード」処理に移る。この場合、録画動作をそのまま継続しながら当該録画内容を再生出力する、おっかけ再生（モード切り替えに伴う追っかけ再生）が行われる。
【００３３】
一方、ＣＰＵ１は、現在受信中のテレビ放送番組の出力を一時的に中断させる着信割り込み、あるいは任意割り込みを検出すると（ステップＳ５でＹＥＳ）、この割り込み検出に応答してそれ以降の受信内容を録画メモリ４Ａに逐次書き込む録画動作を開始させると共に（ステップＳ１０）、受信した放送内容の出力を一時停止、すなわち、メイン表示部９からの映像表示及び内蔵スピーカ１３あるいはイヤーホーン１４からの音声出力を一時停止させる（ステップＳ１１）。そして、図７（Ａ）に示すように受信内容の出力を一時停止している状態であることを示す割り込み画面をテレビ画面に代えて表示出力させたのち（ステップＳ１２）、この出力中断の割り込みが解除されるまで待機状態となる（ステップＳ１３）。ここで、ＣＰＵ１は、通話終了（回線切断）を検出したり、出力中断の終了操作を検出すると、つまり、出力中断の割り込みが解除されると（ステップＳ１３でＹＥＳ）、上述の割り込み画面に代えてメニュー画面を表示出力させる（ステップＳ１４）。
【００３４】
ここで、割り込みが発生してからそれが解除されるまでの割り込み期間（出力中断期間）は、テレビ視聴中に電話着信が有ってからその通話が終了するまでの期間、あるいは割り込み操作からその解除操作が行われるまでの期間であり、テレビ放送の録画動作は、この期間が経過した後もそのまま継続される。メニュー画面は、この録画内容の再生開始を指示する「再生スタート」と、現在の放送内容を受信出力する元の状態への復帰を指示する「受信出力に戻る」のメニュー項目を有し、この中から任意のメニュー項目が選択指定されると（ステップＳ１５）、この選択項目は、「再生スタート」であるかを調べる（ステップＳ１６）。ここで、「再生スタート」が選択された場合には（ステップＳ１６でＹＥＳ）、着信割り込み／任意割り込みに伴う再生であることを示すために、割り込み再生フラグをセットしておく（ステップＳ１７）。
【００３５】
そして、図５及び図６の「再生出力モード」処理に移り、録画動作をそのまま継続しながら当該録画内容をおっかけ再生（割り込みに伴う追っかけ再生）を行う。先ず、ＣＰＵ１は、上述した割り込み再生フラグがセットされているか否か、つまり、割り込みに伴う追っかけ再生かをチェックするが（図５のステップＳ２１）、いま、割り込み再生フラグがセットされているので、ステップＳ２２に移り、最新（直前）の録画ファイル、つまり、今回の割り込み期間（出力中断期間）での録画動作に伴って生成された録画ファイルを再生対象として指定し、この指定ファイルの先頭位置（割り込み発生位置）からその録画内容を読み出して再生動作を開始させる。そして、上述の割り込み画面から再生画面に切り替え表示させる（ステップＳ２９）。図７（Ｂ）は、追っかけ再生画面を示し、この再生画面の下側（セットバーエリア内）には、追っかけ再生中であることを示すアイコンが追加表示される。
【００３６】
この状態において、早送り再生を指示する早送りキーが操作されたか（図６のステップＳ３５）、一時的に再生動作を停止させるクリアキーが操作されたか（ステップＳ３６）、再生動作を開始させる再生キーが操作されたか（ステップＳ３７）、再生動作を終了させる終了キーが操作されたかを調べる（ステップＳ３９）。いま、再生キーが操作されると（ステップＳ３７でＹＥＳ）、ノーマルスピード（録画速度と略同一の速度）での再生動作を開始させ（ステップＳ５２）、また、早送りキーが操作されると（ステップＳ３５でＹＥＳ）、所定速度（例えば、ノーマルスピード×1.3倍の速度）での早送り再生を開始させる（ステップＳ４０）。
【００３７】
ここで、ＣＰＵ１は、早送り再生の動作中に、現在の録画位置と再生位置とを比較し、再生位置が録画位置に追いついたか（再生位置＝録画位置）をチェックする（ステップＳ４１）。これによって再生位置＜録画位置であれば、ステップＳ４２に移り、再生位置は録画終了位置に達したか、つまり、録画ファイルの内容を全て再生し終わったかをチェックし、再生の途中であれば、キー操作無しを条件に（ステップＳ４３）、上述のステップＳ４１に戻って再生位置を監視し続ける。ここで、早送り再生によって再生位置が現在の録画位置に追いつき、ステップＳ４１で「再生位置＝録画位置」が検出されると、割り込み再生フラグの有無をチェックする（ステップＳ４５）。
【００３８】
いま、割り込みに伴う追っかけ再生を実行している場合であるからステップＳ４７に移り、録画動作及び再生動作を停止させる。そして、「受信出力モード（通常モード）」への復帰を報知するために「戻る」のメッセージをポップアップ表示させる（ステップＳ４８）。図７（Ｃ）は、追っかけ再生から通常放送の出力状態に戻ることを示すメッセージを再生画面内に表示させた状態を示している。そして、割り込み再生フラグをリセットすると共に（ステップＳ４９）、「再生出力モード」を解除したのち（ステップＳ５０）、図４のステップＳ３に戻り、元の「受信出力モード」に復帰させる。
【００３９】
また、追っかけ再生の動作中に再生位置が録画位置に追いつく前に、クリアキー（一時停止キー）が操作された場合には（ステップＳ３６）、現在の再生位置を停止位置として記憶保持しておく（ステップＳ５１）。そして、次ぎのステップＳ４５で割り込み再生フラグ有りが検出されるため、上述のステップＳ４７に移って再生動作を停止させるが、クリアキーによる一時停止指示の場合には、再生停止のみが行われ、録画動作はそのまま続行させるようにしている。以下、上述の場合と同様に、「戻る」のメッセージをポップアップ表示させ（ステップＳ４８）、割り込み再生フラグをリセットし（ステップＳ４９）、「再生出力モード」を解除して（ステップＳ５０）、元の「受信出力モード」に復帰させる（ステップＳ３）。
【００４０】
このように追っかけ再生を一時停止させたのちにその再開を指示する場合には、モード切り替えキーを操作する。これによって「受信出力モード」から「再生出力モード」に切り替えられると、図４のステップＳ７でＹＥＳと判断されて「再生出力モード」の処理に入る。この場合、図５のステップＳ２１、Ｓ２３でＮＯと判断されてステップＳ２４に移り、現時点まで録画生成されてメモリ４などで記憶管理されている録画ファイルを一覧表示させる。この場合、ファイル名の一覧が表示され、この一覧画面の中から所望するファイルが選択指定されると（ステップＳ２５）、この選択ファイルに対応して前回の停止位置が記憶保持されているか、つまり、再生動作を一時停止させたのちにその動作を再開する場合かをチェックする（ステップＳ２６）。いま、中断後の再開であり、この中断ファイルには前回の停止位置が対応付けられているので、この位置から再生動作を開始（再開）させる（ステップＳ２７）。そして、再生画面に切り替えたのち、図６のステップＳ３５に移り、以下、上述の動作が繰り返される。
【００４１】
ここで、ＣＰＵ１は、早送り再生によって録画ファイルの内容を全て再生し終わり、再生位置が録画終了位置に達すると（図６のステップＳ４２でＹＥＳ）、この時点で再生動作を停止させる（ステップＳ４４）。また、ノーマルスピードでの再生によって再生位置が録画終了位置に達した場合（ステップＳ３８でＹＥＳ）あるいは再生終了を指示する終了キーが操作された場合には（ステップＳ３９でＹＥＳ）、この時点で再生動作を停止させる（ステップＳ５３）。
【００４２】
そして、図５のステップＳ２３に移って一時録画フラグのセット有無を調べるが、いま、割り込みに伴う追っかけ再生を行っていた場合であるからステップＳ２４に移り、録画ファイルを一覧表示させる。この場合、割り込みに伴う追っかけ再生に引き続いて他の録画ファイルの再生を指示する場合には、この一覧表示の中から所望するファイルを新たな再生対象として選択すればよいが、そのまま再生動作を終了させるために終了キーが操作された場合には（ステップＳ３１でＹＥＳ）、「再生出力モード」を解除する（ステップＳ３２）。そして、図４のステップＳ３に戻って「受信出力モード」に復帰させる。
【００４３】
一方、テレビ放送の録画中にモード切り替えキーが操作されて「再生出力モード」に切り替えられた場合には（ステップＳ７でＹＥＳ）、モード切り替えに伴う追っかけ再生が実行される。ここで、図５及び図６の「再生出力モード」処理に入ると、録画ファイルが一覧表示されるが（図５のステップＳ２４）、この場合、再生中断後の再開でなければ、一覧表示の中から新たなファイルが再生対象として選択されるので（ステップＳ２６）、この選択ファイルの先頭位置から再生動作が開始される（ステップＳ２８）。そして、再生画面に切り替えたのち（ステップＳ２９）、図６のステップＳ３５に移り、以下、上述の動作が実行される。この場合、再生位置が現在の録画位置に追いついた際に（ステップＳ４１）、上述のステップＳ４５では割り込み再生フラグ無しが検出されるので、ステップＳ４６に移り、再生位置が録画位置に追いついた時点で再生動作を一時停止させたのち、ステップＳ３５に戻る。この場合、一時停止後に少し時間を遅らせて早送りキーあるいは再生キーを操作すれば、停止位置から再生動作を再開させることができる。
【００４４】
他方、上述したメニュー画面の中から「受信出力に戻る」が選択された場合には（図４のステップＳ１６でＮＯ）、この時点で録画動作を終了させると共に（ステップＳ１８）、割り込み期間内で一時録画された放送内容（未視聴分の録画内容）が存在していることを示す一時録画フラグをセットしておく（ステップＳ１９）。そして、一時録画有りを示すアイコンをテレビ画面の近傍に案内表示させたのち（ステップＳ２０）、上述のステップＳ３に戻って「受信出力モード」に復帰させる。図７（Ｄ）は、一時録画有りのアイコン表示例を示した図である。このアイコン表示は、テレビ画面の下側（セットバーエリア）に表示され、このアイコン表示領域は、タッチボタンを構成するもので、必要に応じて当該領域がタッチ指定されると（図４のステップＳ６でＹＥＳ）、上述した図５及び図６の「再生出力モード」処理に移る。
【００４５】
この場合、図５のステップＳ２３で一時録画フラグ有りが検出されるため、直前の録画ファイル、つまり、割り込み期間内に録画されたファイル（未視聴分の録画ファイル）を再生対象として指定し、この指定ファイルの先頭位置から再生動作を開始させる（ステップＳ３０）。そして、図６のステップＳ３５に移り、以下、上述の動作が実行される。この場合、未視聴分の録画ファイルの再生は、録画に並行して再生を行う追っかけ再生ではないので、早送り再生の動作中に再生位置と録画位置とを比較するステップＳ４１はスキップされる。
【００４６】
また、未視聴分の録画ファイルの内容を全て再生し終わり、再生位置がそのファイルの録画終了位置に達したり（ステップＳ３８）、再生終了を指示する終了キーが操作されると（ステップＳ３９）、再生動作を停止させるが（ステップＳ５３）、その際、一時録画フラグをリセットする（ステップＳ５４、Ｓ５５）。そして、図５のステップＳ２３に移るが、この時点で一時録画フラグはリセットされているので、ステップＳ２４に移る。ここで、終了キーが操作されれば（ステップＳ３１）、「再生出力モード」を解除して（ステップＳ３２）、「受信出力モード」に戻る（ステップＳ３）。
【００４７】
以上のように、この実施例においてＣＰＵ１は、テレビ受信部１１で受信した放送内容を録画メモリ４Ａに書き込んでいる録画動作中に、この録画内容の再生が指示された際に、この録画動作を継続しながら「再生出力モード」下で当該録画内容を録画メモリ４Ａから順次読み出して並行的に再生出力する追っかけ再生を開始し、この追っかけ再生の動作中に現在の録画位置と再生位置とを比較し、再生位置が録画位置に追いついた際には、「再生出力モード」を解除して「受信出力モード」に復帰させることによって現在の放送内容を受信出力する状態に切り替えるようにしたから、追っかけ再生の途中で再生位置が録画位置に追いついた場合でも、特別な操作を行うことなしに、追っかけ再生から現在の放送中の受信出力へスムーズ（シームレス）に移行させることができ、視聴者にあっては追っかけ再生から現在の放送中の受信出力に切り替わったとしても、放送内容をその最後まで集中して視聴することが可能となる。
【００４８】
この場合、追っかけ再生の途中で再生位置が録画位置に追いついた際に、追っかけ再生から通常放送の出力状態「受信出力モード」に戻ることを案内するメッセージを再生画面内にポップアップ表示させたから、モードの自動切り替えをユーザに確認させたうえで「受信出力モード」に復帰させることができる。また、追っかけ再生の動作中にクリアキーが操作された際に、「再生出力モード」を解除して「受信出力モード」に復帰させるようにしたから、再生位置が現在の録画位置に追いつく前に、必要に応じて「受信出力モード」に復帰させることができ、利便性を増すことが可能となる。
【００４９】
ＣＰＵ１は、追っかけ再生の動作中に再生出力モードを解除して「受信出力モード」に復帰させる際に、その時点で再生動作を停止させるほかに録画動作を終了させるようにしたから、無意味な録画を防ぐことができ、無駄な電力消費を抑えることが可能となる。また、「受信出力モード」下で受信内容を逐次出力している状態でその出力中断の割り込み指示に応答してそれ以降の受信内容を逐次録画する動作を開始させたのち、この割り込み解除の指示に応答して録画内容を再生すべきことを促すメニュー画面を表示出力させ、これに応じて「再生スタート」の項目が選択された際に、当該録画内容の先頭位置からその再生を開始するようにしたから、中断期間中（割り込み期間中）に録画された放送内容を追っかけ再生するか否かを問い合わせ、ユーザからの再生指示を確認したうえで、その録画内容を再生することができる。
【００５０】
ここで、割り込み解除の際に表示されるメニュー画面内には、「受信出力モード」に戻すことが可能であることを示す「受信戻り」のメニュー項目が表示され、この「受信戻り」の項目が選択された場合には、「受信出力モード」に復帰させるようにしたから、割り込み解除時に直ちに現在の受信内容を出力する状態に戻すことができる。この場合、中断期間中（割り込み期間中）に録画された放送内容は、必要に応じて再生出力させればよい。すなわち、「受信戻り」のメニュー項目が選択された場合には、未視聴分の一時録画ファイルが存在していることを示す一時録画アイコンが案内表示され、このアイコン位置のタッチ指定によって一時録画の再生指示を受けた際には、「再生出力モード」に切り替えることによって未視聴分の一時録画ファイルの内容を再生するようにしたから、割り込み解除時に直ちに「受信出力モード」に戻した場合でも、未視聴部分が有ることを確認することができ、必要に応じて未視聴部分の再生が可能となる。
【００５１】
なお、上述した実施例においては、図８（Ｃ）ように追っかけ再生の状態から通常放送の出力状態に戻る旨のメッセージを案内表示させることによってモードの自動切り替えをユーザに確認させるようにしたが、「受信出力モード」に戻すか否かをＹＥＳ／ＮＯ形式で問い合わせ、この問い合わせに対する指示に応じて「受信出力モード」に切り替えるようにしてもよい。この場合、再生位置が現在の録画位置に追いつく前（例えば、１分前）に、この問い合わせ画面を表示させることによって事前確認を行うようにしてもよい。
【００５２】
上述した実施例においては、早送りキーによってノーマルスピードからハイスピードに切り替え可能としたが、割り込みが発生してからそれが解除されるまでの割り込み時間に応じてノーマル速度での再生と早送り再生との自動切り替えを行うようにしてもよい。例えば、割り込み時間が一定基準以下であれば、ノーマル速度での再生を開始させ、一定基準を超えていれば、早送り再生を開始させるようにしてもよい。また、割り込み時間のが長くなればなるほど、1.２倍、1.3倍のように早送り速度を段階的に増大させるようにしてもよい。
その他、テレビ機能付き携帯電話装置に限らず、例えば、テレビ機能付きＰＤＡ、電子カメラ、電子腕時計、音楽再生機などの携帯端末装置であっても同様に適用可能であるほか、もちろん、単体のテレビ受信機であってもよい。
【００５３】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、受信した放送内容を逐次出力する受信出力モードと録画内容を再生する再生出力モードとをユーザ操作に応じて任意に切り替える機能と、受信した放送内容の録画中に当該録画内容の再生が指示された際に、この録画動作を継続しながら前記再生出力モード下で当該録画内容を並行的に再生出力する追っかけ再生を実行する機能と、この追っかけ再生の動作中に現在の録画位置と再生位置とを比較して当該再生位置が録画位置に追いついたか否かを判別する機能と、再生位置が録画位置に追いついたことが判別された際に、前記再生出力モードを解除して前記受信出力モードに復帰させることによって現在の放送内容を受信出力する状態に切り替える機能とを実現させるためのプログラムを記録したコンピュータが読み取り可能な記録媒体を提供するようにしてもよい。
【図面の簡単な説明】
【００５４】
【図１】携帯端末装置として適用した携帯電話装置の基本的な構成要素を示したブロック図。
【図２】折り畳み式の装置本体を開いた状態において、メイン表示部９にテレビ映像が表示されたテレビ画面の表示例を示した図。
【図３】放送内容を録画しながら録画内容を再生する場合に、放送内容を受信出力する「受信出力モード」と録画内容を再生する「再生出力モード」とが自動的に切り替えられる様子を説明するための図。
【図４】テレビ受信部１１の起動に伴って実行開始されるテレビ処理を示したフローチャート。
【図５】図４に続く、再生出力モード処理を示したフローチャート。
【図６】図５に続く、再生出力モード処理を示したフローチャート。
【図７】テレビ放送の出力中断を指示する割り込み後の表示変遷図で、（Ａ）は、割り込み画面を示した図、（Ｂ）は、追っかけ再生画面を示した図、（Ｃ）は、追っかけ再生から通常放送の出力状態に戻ることを示すメッセージ画面を示した図、（Ｄ）は、一時録画有りのアイコンの表示状態を示した図。
【符号の説明】
【００５５】
１  ＣＰＵ
２  記憶部
３  記録メディア
４  メモリ
４Ａ  録画メモリ
５  電話通信部
９  メイン表示部
１１  テレビ受信部
１３  内蔵スピーカ
１４  イヤホーン
１５  キー操作部
【図１】
2007043358.tif 000003
【図２】
2007043358.tif 000004
【図３】
2007043358.tif 000005
【図４】
2007043358.tif 000006
【図５】
2007043358.tif 000007
【図６】
2007043358.tif 000008
【図７】
2007043358.tif 000009